【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
符号化された音声信号を復号して音声信号を出力する音声復号装置であって、
符号化された低周波数信号の情報を含む符号化系列を受け取り、復号して低周波数信号を得る低周波数復号部と、
前記低周波数復号部より第１の情報を受け取り、当該第１の情報に基づいて高周波数信号を生成する高周波数復号部と、
符号化装置から送信された第２の情報に基づいて、生成された高周波数信号の時間包絡形状を決定する高周波数時間包絡形状決定部と、
前記高周波数時間包絡形状決定部にて決定された時間包絡形状に基づき前記生成された高周波数信号の時間包絡形状を修正し出力する高周波数時間包絡修正部と、
前記低周波数復号部から低周波数信号を受け取り、前記高周波数時間包絡修正部から時間包絡形状を修正された高周波数信号を受け取り、前記低周波数信号と前記時間包絡形状を修正された高周波数信号とを合成することで、出力する音声信号を得る低周波数／高周波数信号合成部と、
を備え、
前記高周波数時間包絡修正部は、前記高周波数時間包絡形状決定部にて時間包絡形状が平坦であると決定された場合、前記生成された高周波数信号のうち、時間セグメント内の任意の前記生成された高周波数信号を使って時間包絡形状を修正し出力する音声復号装置。
【請求項２】
前記高周波数時間包絡修正部は、前記高周波数時間包絡形状決定部にて時間包絡形状が平坦であると決定された場合、ｘｄｅｃ（ｉ）  （ｔ（ｌ）≦ｉ＜ｔ（ｌ＋１））を任意の時間セグメント内の高周波数信号としたときに、
【数１】
2013242514.tif 000001
を使って得られる信号を、時間包絡形状が修正された高周波数信号として出力する、
ことを特徴とする請求項１に記載の音声復号装置。
【請求項３】
前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部、をさらに備える請求項１または２に記載の音声復号装置。
【請求項４】
前記高周波数時間包絡修正部は、前記高周波数時間包絡形状決定部にて決定された時間包絡形状に基づいて、前記高周波数復号部にて高周波数信号を生成する際の中間信号の時間包絡形状を修正し、
前記高周波数復号部は、前記時間包絡形状を修正された前記中間信号を用いて、残存する高周波数信号を生成する処理を実施する、
ことを特徴とする請求項１〜３の何れか一項に記載の音声復号装置。
【請求項５】
前記高周波数時間包絡修正部は、前記高周波数時間包絡形状決定部にて時間包絡形状が平坦であると決定された場合、ｘｄｅｃ（ｉ）  （ｔ（ｌ）≦ｉ＜ｔ（ｌ＋１））を任意の時間セグメント内の高周波数信号としたときに、
【数２】
2013242514.tif 000002
を
【数３】
2013242514.tif 000003
で除した結果に基づいて得られる信号を、時間包絡形状が修正された高周波数信号として出力する、
ことを特徴とする請求項１〜４の何れか一項に記載の音声復号装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明の音声復号装置は、符号化された音声信号を復号して音声信号を出力する音声復号装置であって、符号化された低周波数信号の情報を含む符号化系列を受け取り、復号して低周波数信号を得る低周波数復号部と、前記低周波数復号部より第１の情報を受け取り、当該第１の情報に基づいて高周波数信号を生成する高周波数復号部と、符号化装置から送信された第２の情報に基づいて、生成された高周波数信号の時間包絡形状を決定する高周波数時間包絡形状決定部と、前記高周波数時間包絡形状決定部にて決定された時間包絡形状に基づき前記生成された高周波数信号の時間包絡形状を修正し出力する高周波数時間包絡修正部と、前記低周波数復号部から低周波数信号を受け取り、前記高周波数時間包絡修正部から時間包絡形状を修正された高周波数信号を受け取り、前記低周波数信号と前記時間包絡形状を修正された高周波数信号とを合成することで、出力する音声信号を得る低周波数／高周波数信号合成部と、を備え、前記高周波数時間包絡修正部は、前記高周波数時間包絡形状決定部にて時間包絡形状が平坦であると決定された場合、前記生成された高周波数信号のうち、時間セグメント内の任意の前記生成された高周波数信号を使って時間包絡形状を修正し出力する。
【手続補正４】
【補正対象書類名】明細書
【補正対象項目名】００１１
【補正方法】変更
【補正の内容】
【００１１】
また、本発明の音声復号装置において、前記高周波数時間包絡修正部は、前記高周波数時間包絡形状決定部にて時間包絡形状が平坦であると決定された場合、ｘｄｅｃ（ｉ）（ｔ（ｌ）≦ｉ＜ｔ（ｌ＋１））を任意の時間セグメント内の高周波数信号としたときに、
【数４】
2013242514.tif 000004
を使って得られる信号を、時間包絡形状が修正された高周波数信号として出力することとしてもよい。
【手続補正５】
【補正対象書類名】明細書
【補正対象項目名】００１２
【補正方法】変更
【補正の内容】
【００１２】
また、本発明の音声復号装置は、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部、をさらに備えることとしてもよい。
【手続補正６】
【補正対象書類名】明細書
【補正対象項目名】００１３
【補正方法】変更
【補正の内容】
【００１３】
また、本発明の音声復号装置において、前記高周波数時間包絡修正部は、前記高周波数時間包絡形状決定部にて決定された時間包絡形状に基づいて、前記高周波数復号部にて高周波数信号を生成する際の中間信号の時間包絡形状を修正し、前記高周波数復号部は、前記時間包絡形状を修正された前記中間信号を用いて、残存する高周波数信号を生成する処理を実施することとしてもよい。
【手続補正７】
【補正対象書類名】明細書
【補正対象項目名】００１４
【補正方法】変更
【補正の内容】
【００１４】
また、本発明の音声復号装置において、前記高周波数時間包絡修正部は、前記高周波数時間包絡形状決定部にて時間包絡形状が平坦であると決定された場合、ｘｄｅｃ（ｉ）  （ｔ（ｌ）≦ｉ＜ｔ（ｌ＋１））を任意の時間セグメント内の高周波数信号としたときに、
【数５】
2013242514.tif 000005
を
【数６】
2013242514.tif 000006
で除した結果に基づいて得られる信号を、時間包絡形状が修正された高周波数信号として出力することとしてもよい。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】０４１２
【補正方法】変更
【補正の内容】
【０４１２】
例えば、前記復号信号の時間包絡形状が平坦と決定された場合、以下の処理により、復号信号の時間包絡形状を修正できる。例えば、当該復号信号xdec(i)に対して、所定の関数Ft(xdec(i))を、
【数７】
2013242514.tif 000007
として、x’dec(i)を時間包絡形状が修正された復号信号として出力する。
【手続補正５０】
【補正対象書類名】明細書
【補正対象項目名】０４４３
【補正方法】変更
【補正の内容】
【０４４３】
さらには、例えば前記第1〜第9の実施形態の音声復号装置のように、低周波数復号部で得られた復号結果を利用して高周波数信号を生成する帯域拡張方式で、高周波数信号を生成できる。この際には、帯域拡張方式にて高周波数信号を生成するために必要な情報が符号化系列に含まれる場合、符号化系列のうち当該情報が含まれる部分が高周波数符号化部分となる。そして、符号化系列逆多重化部100aにて分割された当該高周波数符号化部分を復号して帯域拡張方式に必要な情報を得て、高周波数信号を生成する。一方、帯域拡張方式にて高周波数信号を生成するために必要な情報が符号化系列に含まれない場合、符号化系列逆多重化部100aより高周波数復号部100eに入力は無く、所定の処理または低周波数復号部で得られた復号結果を利用した処理によって高周波数信号を生成する。
【手続補正５１】
【補正対象書類名】明細書
【補正対象項目名】０４５６
【補正方法】変更
【補正の内容】
【０４５６】
［第11の実施形態の音声復号装置の第2の変形例］
図75は、第11の実施形態に係る音声復号装置の第1の変形例100Aの構成を示す図である。
【手続補正５２】
【補正対象書類名】明細書
【補正対象項目名】０９６５
【補正方法】変更
【補正の内容】
【０９６５】
本変形例においては、時間包絡修正部380aAは、時間包絡形状決定部120fにて決定される時間包絡形状に基づいて、低周波数復号部100bから出力される低周波数信号の時間包絡の形状を修正し、前記高周波数信号生成情報に基づき高周波数信号を生成すると判断された場合、高周波数復号部100eから出力される高周波数信号の時間包絡の形状も修正する(S380-1a)。
出願人は、上記の目的を達成するために、以下の第１〜第４の態様に係る音声復号装置を発明した。
第１の態様に係る音声復号装置は、符号化された音声信号を復号して音声信号を出力する音声復号装置であって、前記符号化された音声信号を含む符号化系列を解析する符号化系列解析部と、前記符号化系列解析部から前記符号化された音声信号を含む符号化系列を受け取り、復号して音声信号を得る音声復号部と、前記符号化系列解析部及び前記音声復号部のうち少なくとも一つより情報を受け取り、当該情報に基づいて、復号された音声信号の時間包絡形状を決定する時間包絡形状決定部と、前記時間包絡形状決定部にて決定された時間包絡形状に基づき前記復号された音声信号の時間包絡形状を修正し出力する時間包絡修正部と、を備えることを特徴とする。
第２の態様に係る音声復号装置は、符号化された音声信号を復号して音声信号を出力する音声復号装置であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部及び前記低周波数復号部のうち少なくとも一つより第２の情報を受け取り、当該第２の情報に基づいて、復号された低周波数信号の時間包絡形状を決定する低周波数時間包絡形状決定部と、前記低周波数時間包絡形状決定部にて決定された時間包絡形状に基づき前記復号された低周波数信号の時間包絡形状を修正し出力する低周波数時間包絡修正部と、前記低周波数時間包絡修正部から時間包絡形状を修正された低周波数信号を受け取り、前記高周波数復号部から高周波数信号を受け取り、前記時間包絡形状を修正された低周波数信号と前記高周波数信号とを合成することで、出力する音声信号を得る低周波数／高周波数信号合成部と、を備えることを特徴とする。
第３の態様に係る音声復号装置は、符号化された音声信号を復号して音声信号を出力する音声復号装置であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部、前記低周波数復号部、及び前記高周波数復号部のうち少なくとも一つより第２の情報を受け取り、当該第２の情報に基づいて、生成された高周波数信号の時間包絡形状を決定する高周波数時間包絡形状決定部と、前記高周波数時間包絡形状決定部にて決定された時間包絡形状に基づき前記生成された高周波数信号の時間包絡形状を修正し出力する高周波数時間包絡修正部と、前記低周波数復号部から低周波数信号を受け取り、前記高周波数時間包絡修正部から時間包絡形状を修正された高周波数信号を受け取り、前記低周波数信号と前記時間包絡形状を修正された高周波数信号とを合成することで、出力する音声信号を得る低周波数／高周波数信号合成部と、を備えることを特徴とする。
第４の態様に係る音声復号装置は、符号化された音声信号を復号して音声信号を出力する音声復号装置であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部及び前記低周波数復号部のうち少なくとも一つより第２の情報を受け取り、当該第２の情報に基づいて、復号された低周波数信号の時間包絡形状を決定する低周波数時間包絡形状決定部と、前記低周波数時間包絡形状決定部にて決定された時間包絡形状に基づき前記復号された低周波数信号の時間包絡形状を修正し出力する低周波数時間包絡修正部と、前記符号化系列逆多重化部、前記低周波数復号部、及び前記高周波数復号部のうち少なくとも一つより第３の情報を受け取り、当該第３の情報に基づいて、生成された高周波数信号の時間包絡形状を決定する高周波数時間包絡形状決定部と、前記高周波数時間包絡形状決定部にて決定された時間包絡形状に基づき前記生成された高周波数信号の時間包絡形状を修正し出力する高周波数時間包絡修正部と、前記低周波数時間包絡修正部から時間包絡形状を修正された低周波数信号を受け取り、前記高周波数時間包絡修正部から時間包絡形状を修正された高周波数信号を受け取り、前記時間包絡形状を修正された低周波数信号と前記時間包絡形状を修正された高周波数信号とを合成することで、出力する音声信号を得る低周波数／高周波数信号合成部と、を備えることを特徴とする。
なお、第２又は第４の態様に係る音声復号装置において、前記高周波数復号部は、前記符号化系列逆多重化部、前記低周波数復号部及び前記低周波数時間包絡修正部のうち少なくとも一つより情報を受け取り、当該情報に基づいて高周波数信号を生成してもよい。
また、第１〜第４の態様に係る音声復号装置において、前記高周波数時間包絡修正部は、前記高周波数時間包絡形状決定部にて決定された時間包絡形状に基づいて、前記高周波数復号部にて高周波数信号を生成する際の中間信号の時間包絡形状を修正し、前記高周波数復号部は、前記時間包絡形状を修正された前記中間信号を用いて、残存する高周波数信号を生成する処理を実施してもよい。
ここで、前記高周波数復号部は、前記低周波数復号部にて復号された低周波数信号を受け取り、当該信号をサブバンド信号に分割する分析フィルタ部と、少なくとも前記分析フィルタ部で分割されたサブバンド信号を用いて高周波数信号を生成する高周波数信号生成部と、前記高周波数信号生成部で生成された高周波数信号の周波数包絡を調整する周波数包絡調整部と、を備え、前記中間信号は、前記高周波数信号生成部で生成された高周波数信号であってもよい。
上述した第１〜第４の態様に係る音声復号装置の発明は、音声復号方法の発明として捉えることができ、以下のように記述することができる。
第１の態様に係る音声復号方法は、符号化された音声信号を復号して音声信号を出力する音声復号装置、により実行される音声復号方法であって、前記符号化された音声信号を含む符号化系列を解析する符号化系列解析ステップと、解析後の前記符号化された音声信号を含む符号化系列を受け取り、復号して音声信号を得る音声復号ステップと、前記符号化系列解析ステップ及び前記音声復号ステップのうち少なくとも一つで得られた情報を受け取り、当該情報に基づいて、復号された音声信号の時間包絡形状を決定する時間包絡形状決定ステップと、前記時間包絡形状決定ステップにて決定された時間包絡形状に基づき前記復号された音声信号の時間包絡形状を修正し出力する時間包絡修正ステップと、を備えることを特徴とする。
第２の態様に係る音声復号方法は、符号化された音声信号を復号して音声信号を出力する音声復号装置、により実行される音声復号方法であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化ステップと、分割により得られた前記符号化された低周波数信号の情報を含む符号化系列を受け取り、復号して低周波数信号を得る低周波数復号ステップと、前記符号化系列逆多重化ステップ及び前記低周波数復号ステップのうち少なくとも一つで得られた第１の情報を受け取り、当該第１の情報に基づいて高周波数信号を生成する高周波数復号ステップと、前記符号化系列逆多重化ステップ及び前記低周波数復号ステップのうち少なくとも一つで得られた第２の情報を受け取り、当該第２の情報に基づいて、復号された低周波数信号の時間包絡形状を決定する低周波数時間包絡形状決定ステップと、前記低周波数時間包絡形状決定ステップにて決定された時間包絡形状に基づき前記復号された低周波数信号の時間包絡形状を修正し出力する低周波数時間包絡修正ステップと、前記低周波数時間包絡修正ステップで得られた前記時間包絡形状を修正された低周波数信号を受け取り、前記高周波数復号ステップで得られた高周波数信号を受け取り、前記時間包絡形状を修正された低周波数信号と前記高周波数信号とを合成することで、出力する音声信号を得る低周波数／高周波数信号合成ステップと、を備えることを特徴とする。
第３の態様に係る音声復号方法は、符号化された音声信号を復号して音声信号を出力する音声復号装置、により実行される音声復号方法であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化ステップと、分割により得られた前記符号化された低周波数信号の情報を含む符号化系列を受け取り、復号して低周波数信号を得る低周波数復号ステップと、前記符号化系列逆多重化ステップ及び前記低周波数復号ステップのうち少なくとも一つで得られた第１の情報を受け取り、当該第１の情報に基づいて高周波数信号を生成する高周波数復号ステップと、前記符号化系列逆多重化ステップ、前記低周波数復号ステップ、及び前記高周波数復号ステップのうち少なくとも一つで得られた第２の情報を受け取り、当該第２の情報に基づいて、生成された高周波数信号の時間包絡形状を決定する高周波数時間包絡形状決定ステップと、前記高周波数時間包絡形状決定ステップにて決定された時間包絡形状に基づき前記生成された高周波数信号の時間包絡形状を修正し出力する高周波数時間包絡修正ステップと、前記低周波数復号ステップで得られた低周波数信号を受け取り、前記高周波数時間包絡修正ステップで得られた前記時間包絡形状を修正された高周波数信号を受け取り、前記低周波数信号と前記時間包絡形状を修正された高周波数信号とを合成することで、出力する音声信号を得る低周波数／高周波数信号合成ステップと、を備えることを特徴とする。
第４の態様に係る音声復号方法は、符号化された音声信号を復号して音声信号を出力する音声復号装置、により実行される音声復号方法であって、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化ステップと、前記符号化系列逆多重化ステップで得られた前記符号化された低周波数信号の情報を含む符号化系列を受け取り、復号して低周波数信号を得る低周波数復号ステップと、前記符号化系列逆多重化ステップ及び前記低周波数復号ステップのうち少なくとも一つで得られた第１の情報を受け取り、当該第１の情報に基づいて高周波数信号を生成する高周波数復号ステップと、前記符号化系列逆多重化ステップ及び前記低周波数復号ステップのうち少なくとも一つで得られた第２の情報を受け取り、当該第２の情報に基づいて、復号された低周波数信号の時間包絡形状を決定する低周波数時間包絡形状決定ステップと、前記低周波数時間包絡形状決定ステップにて決定された時間包絡形状に基づき前記復号された低周波数信号の時間包絡形状を修正し出力する低周波数時間包絡修正ステップと、前記符号化系列逆多重化ステップ、前記低周波数復号ステップ、及び前記高周波数復号ステップのうち少なくとも一つより第３の情報を受け取り、当該第３の情報に基づいて、生成された高周波数信号の時間包絡形状を決定する高周波数時間包絡形状決定ステップと、前記高周波数時間包絡形状決定ステップにて決定された時間包絡形状に基づき前記生成された高周波数信号の時間包絡形状を修正し出力する高周波数時間包絡修正ステップと、前記低周波数時間包絡修正ステップで得られた前記時間包絡形状を修正された低周波数信号を受け取り、前記高周波数時間包絡修正ステップで得られた前記時間包絡形状を修正された高周波数信号を受け取り、前記時間包絡形状を修正された低周波数信号と前記時間包絡形状を修正された高周波数信号とを合成することで、出力する音声信号を得る低周波数／高周波数信号合成ステップと、を備えることを特徴とする。
また、上述した第１〜第４の態様に係る音声復号装置の発明は、音声復号プログラムの発明として捉えることができ、以下のように記述することができる。
第１の態様に係る音声復号プログラムは、符号化された音声信号を復号して音声信号を出力する音声復号装置、に設けられたコンピュータを、前記符号化された音声信号を含む符号化系列を解析する符号化系列解析部と、前記符号化系列解析部から前記符号化された音声信号を含む符号化系列を受け取り、復号して音声信号を得る音声復号部と、前記符号化系列解析部及び前記音声復号部のうち少なくとも一つより情報を受け取り、当該情報に基づいて、復号された音声信号の時間包絡形状を決定する時間包絡形状決定部と、前記時間包絡形状決定部にて決定された時間包絡形状に基づき前記復号された音声信号の時間包絡形状を修正し出力する時間包絡修正部、として機能させることを特徴とする。
第２の態様に係る音声復号プログラムは、符号化された音声信号を復号して音声信号を出力する音声復号装置、に設けられたコンピュータを、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部及び前記低周波数復号部のうち少なくとも一つより第２の情報を受け取り、当該第２の情報に基づいて、復号された低周波数信号の時間包絡形状を決定する低周波数時間包絡形状決定部と、前記低周波数時間包絡形状決定部にて決定された時間包絡形状に基づき前記復号された低周波数信号の時間包絡形状を修正し出力する低周波数時間包絡修正部と、前記低周波数時間包絡修正部から時間包絡形状を修正された低周波数信号を受け取り、前記高周波数復号部から高周波数信号を受け取り、前記時間包絡形状を修正された低周波数信号と前記高周波数信号とを合成することで、出力する音声信号を得る低周波数／高周波数信号合成部、として機能させることを特徴とする。
第３の態様に係る音声復号プログラムは、符号化された音声信号を復号して音声信号を出力する音声復号装置、に設けられたコンピュータを、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部、前記低周波数復号部、及び前記高周波数復号部のうち少なくとも一つより第２の情報を受け取り、当該第２の情報に基づいて、生成された高周波数信号の時間包絡形状を決定する高周波数時間包絡形状決定部と、前記高周波数時間包絡形状決定部にて決定された時間包絡形状に基づき前記生成された高周波数信号の時間包絡形状を修正し出力する高周波数時間包絡修正部と、前記低周波数復号部から低周波数信号を受け取り、前記高周波数時間包絡修正部から時間包絡形状を修正された高周波数信号を受け取り、前記低周波数信号と前記時間包絡形状を修正された高周波数信号とを合成することで、出力する音声信号を得る低周波数／高周波数信号合成部、として機能させることを特徴とする。
第４の態様に係る音声復号プログラムは、符号化された音声信号を復号して音声信号を出力する音声復号装置、に設けられたコンピュータを、前記符号化された音声信号を含む符号化系列を、少なくとも、符号化された前記音声信号の低周波数信号の情報を含む符号化系列と、符号化された前記音声信号の高周波数信号の情報を含む符号化系列とに分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより第１の情報を受け取り、当該第１の情報に基づいて高周波数信号を生成する高周波数復号部と、前記符号化系列逆多重化部及び前記低周波数復号部のうち少なくとも一つより第２の情報を受け取り、当該第２の情報に基づいて、復号された低周波数信号の時間包絡形状を決定する低周波数時間包絡形状決定部と、前記低周波数時間包絡形状決定部にて決定された時間包絡形状に基づき前記復号された低周波数信号の時間包絡形状を修正し出力する低周波数時間包絡修正部と、前記符号化系列逆多重化部、前記低周波数復号部、及び前記高周波数復号部のうち少なくとも一つより第３の情報を受け取り、当該第３の情報に基づいて、生成された高周波数信号の時間包絡形状を決定する高周波数時間包絡形状決定部と、前記高周波数時間包絡形状決定部にて決定された時間包絡形状に基づき前記生成された高周波数信号の時間包絡形状を修正し出力する高周波数時間包絡修正部と、前記低周波数時間包絡修正部から時間包絡形状を修正された低周波数信号を受け取り、前記高周波数時間包絡修正部から時間包絡形状を修正された高周波数信号を受け取り、前記時間包絡形状を修正された低周波数信号と前記時間包絡形状を修正された高周波数信号とを合成することで、出力する音声信号を得る低周波数／高周波数信号合成部、として機能させることを特徴とする。
出願人は、上記の目的を達成するために、以下の第１〜第４の態様に係る音声符号化装置を発明した。
第１の態様に係る音声符号化装置は、入力される音声信号を符号化して符号化系列を出力する音声符号化装置であって、前記音声信号を符号化する音声符号化部と、前記音声信号の時間包絡情報を算出し符号化する時間包絡情報符号化部と、前記音声符号化部で得られる前記音声信号を含む符号化系列と、前記時間包絡情報符号化部で得られる時間包絡情報の符号化系列とを多重化する符号化系列多重化部と、を備えることを特徴とする。
第２の態様に係る音声符号化装置は、入力される音声信号を符号化して符号化系列を出力する音声符号化装置であって、前記音声信号の低周波数成分を符号化する低周波数符号化部と、前記音声信号の高周波数成分を符号化する高周波数符号化部と、前記音声信号、前記低周波数符号化部の符号化結果、及び当該低周波数符号化過程で得られる情報のうち少なくとも一つ以上に基づいて、低周波数成分の時間包絡情報を算出し符号化する低周波数時間包絡情報符号化部と、前記低周波数符号化部で得られる前記低周波数成分を含む符号化系列と、前記高周波数符号化部で得られる前記高周波数成分を含む符号化系列と、前記低周波数時間包絡情報符号化部で得られる低周波数成分の時間包絡情報の符号化系列とを多重化する符号化系列多重化部と、を備えることを特徴とする。
第３の態様に係る音声符号化装置は、入力される音声信号を符号化して符号化系列を出力する音声符号化装置であって、前記音声信号の低周波数成分を符号化する低周波数符号化部と、前記音声信号の高周波数成分を符号化する高周波数符号化部と、前記音声信号、前記低周波数符号化部の符号化結果、当該低周波数符号化過程で得られる情報、前記高周波数符号化部の符号化結果、及び当該高周波数符号化過程で得られる情報のうち少なくとも一つ以上に基づいて、高周波数成分の時間包絡情報を算出し符号化する高周波数時間包絡情報符号化部と、前記低周波数符号化部で得られる前記低周波数成分を含む符号化系列と、前記高周波数符号化部で得られる前記高周波数成分を含む符号化系列と、前記高周波数時間包絡情報符号化部で得られる高周波数成分の時間包絡情報の符号化系列とを多重化する符号化系列多重化部と、を備えることを特徴とする。
第４の態様に係る音声符号化装置は、入力される音声信号を符号化して符号化系列を出力する音声符号化装置であって、前記音声信号の低周波数成分を符号化する低周波数符号化部と、前記音声信号の高周波数成分を符号化する高周波数符号化部と、前記音声信号、前記低周波数符号化部の符号化結果、及び当該低周波数符号化過程で得られる情報のうち少なくとも一つ以上に基づいて、低周波数成分の時間包絡情報を算出し符号化する低周波数時間包絡情報符号化部と、前記音声信号、前記低周波数符号化部の符号化結果、当該低周波数符号化過程で得られる情報、前記高周波数符号化部の符号化結果、及び当該高周波数符号化過程で得られる情報のうち少なくとも一つ以上に基づいて、高周波数成分の時間包絡情報を算出し符号化する高周波数時間包絡情報符号化部と、前記低周波数符号化部で得られる前記低周波数成分を含む符号化系列と、前記高周波数符号化部で得られる前記高周波数成分を含む符号化系列と、前記低周波数時間包絡情報符号化部で得られる低周波数成分の時間包絡情報の符号化系列と、前記高周波数時間包絡情報符号化部で得られる高周波数成分の時間包絡情報の符号化系列とを多重化する符号化系列多重化部と、を備えることを特徴とする。
上述した第１〜第４の態様に係る音声符号化装置の発明は、音声符号化方法の発明として捉えることができ、以下のように記述することができる。
第１の態様に係る音声符号化方法は、入力される音声信号を符号化して符号化系列を出力する音声符号化装置、により実行される音声符号化方法であって、前記音声信号を符号化する音声符号化ステップと、前記音声信号の時間包絡情報を算出し符号化する時間包絡情報符号化ステップと、前記音声符号化ステップで得られる前記音声信号を含む符号化系列と、前記時間包絡情報符号化ステップで得られる時間包絡情報の符号化系列とを多重化する符号化系列多重化ステップと、を備えることを特徴とする。
第２の態様に係る音声符号化方法は、入力される音声信号を符号化して符号化系列を出力する音声符号化装置、により実行される音声符号化方法であって、前記音声信号の低周波数成分を符号化する低周波数符号化ステップと、前記音声信号の高周波数成分を符号化する高周波数符号化ステップと、前記音声信号、前記低周波数符号化ステップの符号化結果、及び当該低周波数符号化過程で得られる情報のうち少なくとも一つ以上に基づいて、低周波数成分の時間包絡情報を算出し符号化する低周波数時間包絡情報符号化ステップと、前記低周波数符号化ステップで得られる前記低周波数成分を含む符号化系列と、前記高周波数符号化ステップで得られる前記高周波数成分を含む符号化系列と、前記低周波数時間包絡情報符号化ステップで得られる低周波数成分の時間包絡情報の符号化系列とを多重化する符号化系列多重化ステップと、を備えることを特徴とする。
第３の態様に係る音声符号化方法は、入力される音声信号を符号化して符号化系列を出力する音声符号化装置、により実行される音声符号化方法であって、前記音声信号の低周波数成分を符号化する低周波数符号化ステップと、前記音声信号の高周波数成分を符号化する高周波数符号化ステップと、前記音声信号、前記低周波数符号化ステップの符号化結果、当該低周波数符号化過程で得られる情報、前記高周波数符号化ステップの符号化結果、及び当該高周波数符号化過程で得られる情報のうち少なくとも一つ以上に基づいて、高周波数成分の時間包絡情報を算出し符号化する高周波数時間包絡情報符号化ステップと、前記低周波数符号化ステップで得られる前記低周波数成分を含む符号化系列と、前記高周波数符号化ステップで得られる前記高周波数成分を含む符号化系列と、前記高周波数時間包絡情報符号化ステップで得られる高周波数成分の時間包絡情報の符号化系列とを多重化する符号化系列多重化ステップと、を備えることを特徴とする。
第４の態様に係る音声符号化方法は、入力される音声信号を符号化して符号化系列を出力する音声符号化装置、により実行される音声符号化方法であって、前記音声信号の低周波数成分を符号化する低周波数符号化ステップと、前記音声信号の高周波数成分を符号化する高周波数符号化ステップと、前記音声信号、前記低周波数符号化ステップの符号化結果、及び当該低周波数符号化過程で得られる情報のうち少なくとも一つ以上に基づいて、低周波数成分の時間包絡情報を算出し符号化する低周波数時間包絡情報符号化ステップと、前記音声信号、前記低周波数符号化ステップの符号化結果、当該低周波数符号化過程で得られる情報、前記高周波数符号化ステップの符号化結果、及び当該高周波数符号化過程で得られる情報のうち少なくとも一つ以上に基づいて、高周波数成分の時間包絡情報を算出し符号化する高周波数時間包絡情報符号化ステップと、前記低周波数符号化ステップで得られる前記低周波数成分を含む符号化系列と、前記高周波数符号化ステップで得られる前記高周波数成分を含む符号化系列と、前記低周波数時間包絡情報符号化ステップで得られる低周波数成分の時間包絡情報の符号化系列と、前記高周波数時間包絡情報符号化ステップで得られる高周波数成分の時間包絡情報の符号化系列とを多重化する符号化系列多重化ステップと、を備えることを特徴とする。
また、上述した第１〜第４の態様に係る音声符号化装置の発明は、音声符号化プログラムの発明として捉えることができ、以下のように記述することができる。
第１の態様に係る音声符号化プログラムは、入力される音声信号を符号化して符号化系列を出力する音声符号化装置、に設けられたコンピュータを、前記音声信号を符号化する音声符号化部と、前記音声信号の時間包絡情報を算出し符号化する時間包絡情報符号化部と、前記音声符号化部で得られる前記音声信号を含む符号化系列と、前記時間包絡情報符号化部で得られる時間包絡情報の符号化系列とを多重化する符号化系列多重化部、として機能させることを特徴とする。
第２の態様に係る音声符号化プログラムは、入力される音声信号を符号化して符号化系列を出力する音声符号化装置、に設けられたコンピュータを、前記音声信号の低周波数成分を符号化する低周波数符号化部と、前記音声信号の高周波数成分を符号化する高周波数符号化部と、前記音声信号、前記低周波数符号化部の符号化結果、及び当該低周波数符号化過程で得られる情報のうち少なくとも一つ以上に基づいて、低周波数成分の時間包絡情報を算出し符号化する低周波数時間包絡情報符号化部と、前記低周波数符号化部で得られる前記低周波数成分を含む符号化系列と、前記高周波数符号化部で得られる前記高周波数成分を含む符号化系列と、前記低周波数時間包絡情報符号化部で得られる低周波数成分の時間包絡情報の符号化系列とを多重化する符号化系列多重化部、として機能させることを特徴とする。
第３の態様に係る音声符号化プログラムは、入力される音声信号を符号化して符号化系列を出力する音声符号化装置、に設けられたコンピュータを、前記音声信号の低周波数成分を符号化する低周波数符号化部と、前記音声信号の高周波数成分を符号化する高周波数符号化部と、前記音声信号、前記低周波数符号化部の符号化結果、当該低周波数符号化過程で得られる情報、前記高周波数符号化部の符号化結果、及び当該高周波数符号化過程で得られる情報のうち少なくとも一つ以上に基づいて、高周波数成分の時間包絡情報を算出し符号化する高周波数時間包絡情報符号化部と、前記低周波数符号化部で得られる前記低周波数成分を含む符号化系列と、前記高周波数符号化部で得られる前記高周波数成分を含む符号化系列と、前記高周波数時間包絡情報符号化部で得られる高周波数成分の時間包絡情報の符号化系列とを多重化する符号化系列多重化部、として機能させることを特徴とする。
第４の態様に係る音声符号化プログラムは、入力される音声信号を符号化して符号化系列を出力する音声符号化装置、に設けられたコンピュータを、前記音声信号の低周波数成分を符号化する低周波数符号化部と、前記音声信号の高周波数成分を符号化する高周波数符号化部と、前記音声信号、前記低周波数符号化部の符号化結果、及び当該低周波数符号化過程で得られる情報のうち少なくとも一つ以上に基づいて、低周波数成分の時間包絡情報を算出し符号化する低周波数時間包絡情報符号化部と、前記音声信号、前記低周波数符号化部の符号化結果、当該低周波数符号化過程で得られる情報、前記高周波数符号化部の符号化結果、及び当該高周波数符号化過程で得られる情報のうち少なくとも一つ以上に基づいて、高周波数成分の時間包絡情報を算出し符号化する高周波数時間包絡情報符号化部と、前記低周波数符号化部で得られる前記低周波数成分を含む符号化系列と、前記高周波数符号化部で得られる前記高周波数成分を含む符号化系列と、前記低周波数時間包絡情報符号化部で得られる低周波数成分の時間包絡情報の符号化系列と、前記高周波数時間包絡情報符号化部で得られる高周波数成分の時間包絡情報の符号化系列とを多重化する符号化系列多重化部、として機能させることを特徴とする。
出願人は、上記の目的を達成するために、さらに以下の第５及び第６の態様に係る音声復号装置を発明した。
第５の態様に係る音声復号装置は、符号化された音声信号を復号して音声信号を出力する音声復号装置であって、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより情報を受け取り、当該情報に基づいて高周波数信号を生成する高周波数復号部と、前記符号化系列逆多重化部、前記低周波数復号部、及び前記高周波数復号部のうち少なくとも一つより情報を受け取り、復号された低周波数信号及び生成された高周波数信号の時間包絡形状を決定する時間包絡形状決定部と、前記時間包絡形状決定部にて決定された時間包絡形状に基づき前記復号された低周波数信号の時間包絡形状を修正し出力する低周波数時間包絡修正部と、前記時間包絡形状決定部にて決定された時間包絡形状に基づき前記生成された高周波数信号の時間包絡形状を修正し出力する高周波数時間包絡修正部と、前記低周波数時間包絡修正部から時間包絡を修正された低周波数信号を受け取り、前記高周波数時間包絡修正部から時間包絡を修正された高周波数信号を受け取り、出力する音声信号を合成する低周波数／高周波数信号合成部と、を備えることを特徴とする。
第６の態様に係る音声復号装置は、符号化された音声信号を復号して音声信号を出力する音声復号装置であって、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより情報を受け取り、当該情報に基づいて高周波数信号を生成する高周波数復号部と、前記符号化系列逆多重化部、前記低周波数復号部、及び前記高周波数復号部のうち少なくとも一つより情報を受け取り、復号された低周波数信号及び生成された高周波数信号の時間包絡形状を決定する時間包絡形状決定部と、前記低周波数復号部から復号された低周波数信号を受け取り、前記高周波数復号部から生成された高周波数信号を受け取り、前記時間包絡形状決定部にて決定された時間包絡形状に基づき、前記復号された低周波数信号及び前記生成された高周波数信号の時間包絡形状を修正し出力する時間包絡修正部と、前記時間包絡修正部から時間包絡を修正された低周波数信号及び高周波数信号を受け取り、出力する音声信号を合成する低周波数／高周波数信号合成部と、を備えることを特徴とする。
なお、第５の態様に係る音声復号装置において、前記高周波数復号部は、前記符号化系列逆多重化部、前記低周波数復号部及び前記低周波数時間包絡修正部のうち少なくとも一つより情報を受け取り、当該情報に基づいて高周波数信号を生成してもよい。
また、第５の態様に係る音声復号装置において、前記高周波数時間包絡修正部は、前記時間包絡形状決定部にて決定された時間包絡形状に基づいて、前記高周波数復号部にて高周波数信号を生成する際の中間信号の時間包絡形状を修正し、前記高周波数復号部は、前記時間包絡形状を修正された前記中間信号を用いて、残存する高周波数信号を生成する処理を実施してもよい。
また、第６の態様に係る音声復号装置において、前記高周波数復号部は、前記符号化系列逆多重化部及び前記低周波数復号部のうち少なくとも一つより情報を受け取り、当該情報に基づいて高周波数信号を生成してもよい。
また、第６の態様に係る音声復号装置において、前記時間包絡修正部は、前記時間包絡形状決定部にて決定された時間包絡形状に基づいて、前記高周波数復号部にて高周波数信号を生成する際の中間信号の時間包絡形状を修正し、前記高周波数復号部は、前記時間包絡形状を修正された前記中間信号を用いて、残存する高周波数信号を生成する処理を実施してもよい。
ここで、前記高周波数復号部は、前記低周波数復号部にて復号された低周波数信号を受け取り、当該信号をサブバンド信号に分割する分析フィルタ部と、少なくとも前記分析フィルタ部で分割されたサブバンド信号を用いて高周波数信号を生成する高周波数信号生成部と、前記高周波数信号生成部で生成された高周波数信号の周波数包絡を調整する周波数包絡調整部と、を備え、前記中間信号は、前記高周波数信号生成部で生成された高周波数信号であってもよい。
上述した第５及び第６の態様に係る音声復号装置の発明は、音声復号方法の発明として捉えることができ、以下のように記述することができる。
第５の態様に係る音声復号方法は、符号化された音声信号を復号して音声信号を出力する音声復号装置、により実行される音声復号方法であって、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化ステップと、分割により得られた前記符号化された低周波数信号の情報を含む符号化系列を受け取り、復号して低周波数信号を得る低周波数復号ステップと、前記符号化系列逆多重化ステップ及び前記低周波数復号ステップのうち少なくとも一つで得られた情報を受け取り、当該情報に基づいて高周波数信号を生成する高周波数復号ステップと、前記符号化系列逆多重化ステップ、前記低周波数復号ステップ、及び前記高周波数復号ステップのうち少なくとも一つで得られた情報を受け取り、復号された低周波数信号及び生成された高周波数信号の時間包絡形状を決定する時間包絡形状決定ステップと、前記時間包絡形状決定ステップにて決定された時間包絡形状に基づき前記復号された低周波数信号の時間包絡形状を修正し出力する低周波数時間包絡修正ステップと、前記時間包絡形状決定ステップにて決定された時間包絡形状に基づき前記生成された高周波数信号の時間包絡形状を修正し出力する高周波数時間包絡修正ステップと、前記低周波数時間包絡修正ステップで得られた時間包絡を修正された低周波数信号を受け取り、前記高周波数時間包絡修正ステップで得られた時間包絡を修正された高周波数信号を受け取り、出力する音声信号を合成する低周波数／高周波数信号合成ステップと、を備えることを特徴とする。
第６の態様に係る音声復号方法は、符号化された音声信号を復号して音声信号を出力する音声復号装置、により実行される音声復号方法であって、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化ステップと、分割により得られた前記符号化された低周波数信号の情報を含む符号化系列を受け取り、復号して低周波数信号を得る低周波数復号ステップと、前記符号化系列逆多重化ステップ及び前記低周波数復号ステップのうち少なくとも一つで得られた情報を受け取り、当該情報に基づいて高周波数信号を生成する高周波数復号ステップと、前記符号化系列逆多重化ステップ、前記低周波数復号ステップ、及び前記高周波数復号ステップのうち少なくとも一つで得られた情報を受け取り、復号された低周波数信号及び生成された高周波数信号の時間包絡形状を決定する時間包絡形状決定ステップと、前記低周波数復号ステップで得られた復号された低周波数信号を受け取り、前記高周波数復号ステップで得られた生成された高周波数信号を受け取り、前記時間包絡形状決定ステップにて決定された時間包絡形状に基づき、前記復号された低周波数信号及び前記生成された高周波数信号の時間包絡形状を修正し出力する時間包絡修正ステップと、前記時間包絡修正ステップで得られた時間包絡を修正された低周波数信号及び高周波数信号を受け取り、出力する音声信号を合成する低周波数／高周波数信号合成ステップと、を備えることを特徴とする。
また、上述した第５及び第６の態様に係る音声復号装置の発明は、音声復号プログラムの発明として捉えることができ、以下のように記述することができる。
第５の態様に係る音声復号プログラムは、符号化された音声信号を復号して音声信号を出力する音声復号装置、に設けられたコンピュータを、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより情報を受け取り、当該情報に基づいて高周波数信号を生成する高周波数復号部と、前記符号化系列逆多重化部、前記低周波数復号部、及び前記高周波数復号部のうち少なくとも一つより情報を受け取り、復号された低周波数信号及び生成された高周波数信号の時間包絡形状を決定する時間包絡形状決定部と、前記時間包絡形状決定部にて決定された時間包絡形状に基づき前記復号された低周波数信号の時間包絡形状を修正し出力する低周波数時間包絡修正部と、前記時間包絡形状決定部にて決定された時間包絡形状に基づき前記生成された高周波数信号の時間包絡形状を修正し出力する高周波数時間包絡修正部と、前記低周波数時間包絡修正部から時間包絡を修正された低周波数信号を受け取り、前記高周波数時間包絡修正部から時間包絡を修正された高周波数信号を受け取り、出力する音声信号を合成する低周波数／高周波数信号合成部、として機能させることを特徴とする。
第６の態様に係る音声復号プログラムは、符号化された音声信号を復号して音声信号を出力する音声復号装置、に設けられたコンピュータを、前記符号化された音声信号を含む符号化系列を、少なくとも符号化された前記音声信号の低周波数信号の情報を含む符号化系列と、符号化された前記音声信号の高周波数信号の情報を含む符号化系列に分割する符号化系列逆多重化部と、前記符号化系列逆多重化部から前記符号化された低周波数信号の情報を含む符号化系列を受け取り、復号して低周波数信号を得る低周波数復号部と、前記符号化系列逆多重化部及び前記低周波数復号部のうち少なくとも一つより情報を受け取り、当該情報に基づいて高周波数信号を生成する高周波数復号部と、前記符号化系列逆多重化部、前記低周波数復号部、及び前記高周波数復号部のうち少なくとも一つより情報を受け取り、復号された低周波数信号及び生成された高周波数信号の時間包絡形状を決定する時間包絡形状決定部と、前記低周波数復号部から復号された低周波数信号を受け取り、前記高周波数復号部から生成された高周波数信号を受け取り、前記時間包絡形状決定部にて決定された時間包絡形状に基づき、前記復号された低周波数信号及び前記生成された高周波数信号の時間包絡形状を修正し出力する時間包絡修正部と、前記時間包絡修正部から時間包絡を修正された低周波数信号及び高周波数信号を受け取り、出力する音声信号を合成する低周波数／高周波数信号合成部、として機能させることを特徴とする。
【手続補正５３】
【補正対象書類名】図面
【補正対象項目名】図３８７
【補正方法】変更
【補正の内容】
【図３８７】
2013242514.tif 000008
【手続補正５４】
【補正対象書類名】図面
【補正対象項目名】図３８９
【補正方法】変更
【補正の内容】
【図３８９】
2013242514.tif 000009